(57)【要約】【課題】向上したフェイルセーフティを有し、および／またはそれに関して、負傷のリスクがより少ない、モジュール式制御装置およびモジュールまたはモジュール部を提供する。【解決手段】工業設備(10)を制御するための制御装置(1)であって、第１のモジュール部(102)と、第２のモジュール部(104)と、第３のモジュール部(106)とを備える。第１のモジュール部(102)と第２のモジュール部(104)は、機械的および電気的に結合して第１の結合構成を形成し、第１のモジュール部(102)と第３のモジュール部(106)は、機械的および電気的に結合して第２の結合構成を形成する。第１のモジュール部(102)は、第１および第２の位置に移動可能な、固定係合部(114b)と固定作動部(114a)とを有する固定要素(114)を備えている。固定係合部(114b)は、第１の結合構成において、第１の位置で第２のモジュール部(104)に固定係合し、その結果、第１のモジュール部(102)と第２のモジュール部(104)は、互いに接触して固定され、第２の位置で取り外される。固定作動部(114a)は、第１の位置において、第１の空間領域(R1)内に配置され、および第２の位置においては、第２の空間領域(R2)内に配置される。第３のモジュール部(106)は、第２の結合構成において、第２の空間領域(R2)内に少なくとも部分的に配置される阻止部(113)を有している。【選択図】図５ａ
2014529883.tif 000002
【特許請求の範囲】
【請求項１】
工業設備（１０）を制御するための制御装置（１）であって、
少なくとも第１のモジュール部（１０２）と、第２のモジュール部（１０４）と、第３のモジュール部（１０６）とを有する少なくとも１つのモジュール（１００）を備え、
前記第１のモジュール部（１０２）と前記第２のモジュール部（１０４）は、機械的および電気的に結合して第１の結合構成を形成することができ、前記第１のモジュール部（１０２）と前記第３のモジュール部（１０６）は、機械的および電気的に結合して第２の結合構成を形成することができ、前記第１のモジュール部（１０２）は、第１の位置および第２の位置に移動可能な固定係合部（１１４ｂ）を有する固定要素（１１４）を備え、
前記固定係合部（１１４ｂ）は、前記第１の結合構成において、前記第１の位置で前記第２のモジュール部（１０４）に固定係合し、その結果、前記第１のモジュール部（１０２）と第２のモジュール部（１０４）は、互いに接触して固定され、前記固定係合部（１１４ｂ）は、前記第１の結合構成において、前記第１のモジュール部（１０２）と第２のモジュール部（１０４）が互いに取り外し可能であるように前記第２の位置に配置され、
前記固定要素（１１４）は、前記第１の結合構成において、固定作動部（１１４ａ）に力が及ぼされた場合に、それを用いて前記固定要素（１１４）が、前記第１の位置と第２の位置との間で移動可能である固定作動部（１１４ａ）を備え、
前記固定作動部（１１４ａ）は、前記第１の位置において、第１の空間領域（Ｒ１）内に配置され、前記第２の位置においては、第２の空間領域（Ｒ２）内に配置され、
前記第３のモジュール部（１０６）は、前記第２の結合構成において、前記第２の空間領域（Ｒ２）内に少なくとも部分的に配置される阻止部（１１３）を有することを特徴とする制御装置。
【請求項２】
前記阻止部（１１３）は、前記固定作動部（１１４ａ）に接触する突出部を備える、請求項１に記載の制御装置。
【請求項３】
前記第３のモジュール部（１０６）は、前記第１のモジュール部（１０２）を取り外し可能に保持することができる旋回ホルダ要素（１１２）を有し、前記旋回ホルダ要素（１１２）は、旋回軸（Ａ’）によって旋回点（Ｓ’）を画成し、その結果、決められた運動経路に沿った旋回運動により、前記第１のモジュール部（１０２）と前記第３のモジュール部（１０６）を結合して前記第２の結合構成を形成することができる、請求項１または請求項２に記載の制御装置。
【請求項４】
前記阻止部（１１３）は、前記旋回ホルダ要素（１１２）の少なくとも一部である、請求項３に記載の制御装置。
【請求項５】
前記第１のモジュール部（１０２）は、前記第２のモジュール部（１０４）を取り外し可能に保持することができる旋回ホルダ要素（１１０）を有し、前記旋回ホルダ要素（１１０）は、旋回軸（Ａ）によって旋回点（Ｓ）を画成し、その結果、決められた運動経路に沿った旋回運動により、前記第１のモジュール部（１０２）と前記第２のモジュール部（１０４）を結合して前記第１の結合構成を形成することができる、請求項１〜請求項４のいずれか１項に記載の制御装置。
【請求項６】
前記固定係合部（１１４ｂ）は、前記第１の位置において、前記第２のモジュール部（１０４）の切欠き部（１１５ｂ）に固定係合される突出部またはバーである、請求項１〜請求項５のいずれか１項に記載の制御装置。
【請求項７】
前記固定要素（１１４）は、決められた不動点（Ｆ）を有するレバーである、請求項１〜請求項６のいずれか１項に記載の制御装置。
【請求項８】
前記レバーは、前記不動点（Ｆ）に対して第１のレバー部および第２のレバー部を有する両側レバーであり、および前記固定作動部（１１４ａ）は、前記第１のレバー部上に配置され、および前記固定係合部（１１４ｂ）は、前記第２のレバー部上に配置される、請求項７に記載の制御装置。
【請求項９】
前記レバーは片側レバーである、請求項７に記載の制御装置。
【請求項１０】
前記レバーの固定作動部（１１４ａ）は、前記不動点（Ｆ）によって決まる不動点軸（ＦＡ）に垂直な平面（ＥＦ）内である方向に移動可能であり、前記固定作動部（１１４ａ）は、前記第１の位置において、前記平面（ＥＦ）内で、第１の角度位置に配置され、および前記固定作動部（１１４ａ）は、前記第２の位置において、前記平面（ＥＦ）内で、別の第２の角度位置に配置される、請求項７〜請求項９のいずれか１項に記載の制御装置。
【請求項１１】
前記阻止部（１１３）は、前記第２の結合構成において、前記第１の角度位置と第２の角度位置との間の領域に少なくとも部分的に配置される、請求項１０に記載の制御装置。
【請求項１２】
前記第１のモジュール部（１０２）はハウジング（１０３）を備え、および前記固定要素（１１４）は、前記ハウジング（１０３）上に固定される、請求項１〜請求項１１のいずれか１項に記載の制御装置。
【請求項１３】
前記第１のモジュール部（１０２）は、少なくとも１つの第１の電気接点（１２０）を備え、および前記第２のモジュール部（１０４）は、前記第１の結合構成において、前記第１および第２のモジュール部（１０２，１０４）間の電気的接続のために、第１のモジュール部（１０２）の第１の電気接点（１２０）に接触する少なくとも１つの第１の電気的嵌合接点（１３０）を備え、および／または
前記第３のモジュール部（１０６）は、少なくとも１つの第１の電気接点（１３２）を備え、および前記第１のモジュール部（１０２）は、前記第２の結合構成において、前記第１および第３のモジュール部（１０２，１０６）間の電気的接続のために、前記第３のモジュール部（１０６）の第１の電気接点（１３２）に接触する少なくとも１つの第１の電気的嵌合接点（１２２）を備える、請求項１〜請求項１２のいずれか１項に記載の制御装置。
【請求項１４】
前記第１のモジュール部（１０２）は、信号処理ユニットを備え、および／または前記第２のモジュール部（１０４）は、通信バスまたは供給電圧バスのための少なくとも１つのバスコネクタ（１１７，１１８）を備え、および／または前記第３のモジュール部（１０６）は、信号または電圧を供給するための少なくとも１つの外部コネクタ（１２９）を備える、請求項１〜請求項１３のいずれか１項に記載の制御装置。
【請求項１５】
請求項１〜請求項１４のいずれか１項に記載の制御装置のためのモジュールまたはモジュール部。
【発明の詳細な説明】
【技術分野】
【０００１】
本発明は、工業設備の制御装置、具体的にはモジュール式制御装置に関するものである。
【０００２】
また、本発明は、このような制御装置のためのモジュールまたはモジュール部に関するものである。
【背景技術】
【０００３】
モジュール式制御装置は、少なくとも第１のモジュール部と、第２のモジュール部と、第３のモジュール部とを含む少なくとも１つのモジュールを備えている。第１のモジュール部および第２のモジュール部を、機械的および電気的に結合して第１の結合構成を形成することができる。第１のモジュール部および第３のモジュール部を、機械的および電気的に結合して第２の結合構成を形成することができる。第１のモジュール部は、第１の位置および第２の位置に移動可能である固定要素を備えている。その第１の位置において、該固定要素は、前記第１の結合構成で、第２のモジュール部と固定係合しており、その結果、第１のモジュール部と第２のモジュール部は、互いに接触して固定される。その第２の位置において、前記第１の結合構成における該固定要素は、第１のモジュール部と第２のモジュール部が互いに着脱可能であるようになっている。該固定要素は、固定作動部を備え、それを用いて、該固定作動部に力が作用したときに、第１の位置および第２の位置間で移動可能である。
【０００４】
この種の制御装置およびモジュールまたはモジュール部は、特許文献１によって公知である。
【０００５】
該制御装置には、例えば、設定可能なコントローラー、またはプログラマブル・コントローラー用のモジュール式制御装置がある。
【０００６】
該制御装置は、例えば、PNOZ（登録商標）という商品名で本出願人によって市販されているコントローラー等の、設定可能なコントローラー、または、例えば、PSS（登録商標）という商品名で本出願人によって市販されているコントローラー等の、プログラマブル・コントローラー、または、これらと同様のコントローラーであってもよい。
【０００７】
この場合、設定可能とは、例えば、配線等の、該コントローラーのハードウェアコンポーネントのマッチングまたは調整を意味すると理解される。プログラム可能とは、例えば、プログラム言語を用いた、該コントローラーのソフトウェアコンポーネントのマッチングまたは調整を意味すると理解される。
【０００８】
具体的には、PSS universal（登録商標）は、システム仕様“Pilz, PSSuniversal, Programmable Control Systems PSS（登録商標）, System Description, No. 21256- EN-04”によって周知のように、標準的な作業および安全な作業のためのモジュール式のプログラム可能な制御装置を提供している。この場合、モジュールは、電子モジュール部の形態の第１のモジュール部と、以下においてはバスモジュール部とも呼ばれるベーシックモジュール部の形態の第２のモジュール部とを備えている。該電子モジュール部は、直線的な運動により該バスモジュール部に差し込まれる(plugged)。
【０００９】
このシステムにおける電子モジュール部は、２つの異なるデザインを有している。第１のデザインにおいて、該電子モジュール部は、（例えば、フェイルセーフ（ＦＳ）用途または標準的な（ＳＴ）用途のための）入力／出力モジュール部とすることができる。第２のデザインにおいては、該電子モジュール部は、モジュール供給電圧すなわち内部供給電圧を給電するための、または、周辺供給電圧すなわち外部供給電圧を給電するための、給電モジュールとも呼ばれている電圧原モジュール部とすることができる。したがって、複数の別々の電圧群を形成することが可能である。
【００１０】
第１のデザイン（入力／出力モジュール部）の場合、対応するバスモジュール部が用いられ、そのバスモジュール部は、左側に隣接する該モジュールからの供給電圧を、右側に隣接する該モジュールに接続するために、長手方向の（右側および左側へ向かう）両方向にバスコネクタを有している。そのため、このデザインは、接続バスを備えたデザインとも呼ばれている。
【００１１】
第２のデザイン（電圧源モジュール部）の場合、対応するバスモジュール部が必要とされ、そのバスモジュール部は、（例えば、左へ向かう）第１の方向における該供給電圧バスへの接続部を有しておらず、および該供給電圧上で、右側に隣接する該モジュールにのみ流すために、（例えば、右へ向かう）他方の方向における該供給電圧バスへの接続部を有している。換言すると、新たな電圧群を構成する場合、該供給電圧バス上の接続は、対応するバスモジュール部によって遮断される必要がある。そのため、このデザインは、遮断バスを備えたデザインとも呼ばれている。したがって、第２のモジュール部（バスモジュール部）に関する２つのデザインには、第一には接続バスを、第二には遮断バスを設けなければならない。
【００１２】
このシステムにおいて、該外部コネクタは、該バスモジュール部に一体化されており、その結果、該バスモジュール部上に配置されている該電子モジュール部は、該バスモジュール部の外部コネクタに存在する配線を置換えることなく、すなわち、再配線を要することなく取り換えることができる。
【００１３】
しかし、複数の接続部が調整可能であり、および可変であることが好ましい。そのため、制御装置は、３つのモジュール部を有するモジュールを備える制御装置とすることができる。１つのこのような制御装置は、例えば、“X20- System, User’s Manual, Version: 2.10（2009年5月）, Model number： MAX20- ENG”という文書から分かるように、B&RによるX20システムによって知られている。すなわちモジュールは、電子モジュール部の形態の第１のモジュール部と、バスモジュール部の形態の第２のモジュール部と、接続モジュール部とも呼ばれるＦ端子モジュール部の形態の第３のモジュール部とを備えている。このシステムにおける外部コネクタは、独立した接続モジュール部に収容されている。
【００１４】
また、特許文献１は、３つのモジュール部も開示している。いずれの場合でも、１つの電子モジュール部をベーシックモジュール部上に配置することができ、また、接続端末ブロック（接続モジュール部）を、該電子モジュール部の前側に配置することができる。該ベーシックモジュール部は、ラッチ、弾性部、または、該電子モジュール部の他の固定部と相互に作用する切欠き部を有している。該固定部は、該電子モジュール部を、該ベーシックモジュール部に組み込まれた位置に固定するために、２つのスライドによって動かすことができる。
【先行技術文献】
【特許文献】
【００１５】
【特許文献１】米国特許出願公開第２００３／０１４３８９６ Ａ１号明細書
【特許文献２】独国特許出願公開第 １０ ２００４ ０２０ ９９４ Ａ１号明細書
【特許文献３】国際出願公開第２００５／００３８６９ Ａ１号明細書
【発明の概要】
【発明が解決しようとする課題】
【００１６】
このような制御装置に関する一つの問題は、その上に接続モジュール部が配置されている電子モジュール部を、該モジュールがまだ使用されているときに、例えば、電圧または信号が該接続モジュール部の接続部またはＦ端子に存在する場合に、バスモジュール部から取り外すことができるということにある。
【００１７】
この取り外しは、とりわけ、該バス上に障害を生じる可能性がある。さらに、特に、該電子モジュール部の電子装置が、そのときに試運転しているか、または、起動している場合に、接続された周辺装置（例えば、アクチュエータ等）において障害が発生する可能性がある。そのため、例えば、動く際に人に危険を及ぼす可能性のある、接続されたかまたは駆動されたアクチュエータにおいて、その上に該接続モジュール部が配置されている場合、該電子モジュール部の、該バスモジュール部からのこのような取り外しは、セーフティクリティカルである可能性がある。さらに（特に、故障の場合）、該電子モジュール部に高電圧が存在する可能性があり、その結果、その上に該接続モジュール部が配置されている電子モジュール部をバスモジュール部から取り外しているユーザが、高電圧によって負傷する可能性がある。
【００１８】
こうした背景の下、本発明の目的は、向上したフェイルセーフティを有し、および／またはそれに関して、負傷のリスクがより少ない、冒頭で言及したタイプの制御装置およびモジュールまたはモジュール部を提供することである。
【課題を解決するための手段】
【００１９】
本発明の一つの態様によれば、この目的は、冒頭で言及したタイプの制御装置によって実現され、この場合、該固定作動部は、第１の位置において、第１の空間領域に配置され、また、第２の位置においては、第２の空間領域に配置され、および第３のモジュール部は、第２の結合構成において、第２の空間領域に少なくとも部分的に配置される阻止部を有している。
【００２０】
本発明のさらなる態様によれば、該目的は、対応するモジュールまたはモジュール部によって達成される。
【００２１】
そのため、本発明の制御装置は、該固定要素が、第１および第２の結合構成において、第２の位置に移動するのを防止されるか、または阻止されるようにデザインされている阻止部を用い、この場合、第１のモジュール部と第２のモジュール部は、互いに着脱可能である。第１のモジュール部は、第３のモジュール部が取り外されるまで妨げられるか、または、阻止される。第１のモジュール部の第２のモジュール部からの取り外しまたは分離は、第３のモジュール部が既に取り外されている場合にのみ可能である。
【００２２】
そのため、全体的に見て、本発明の制御装置および本発明のモジュールまたはモジュール部は、向上したフェイルセーフティを有し、および／またはそれに関して、負傷のリスクがより少ない構成を可能にする。したがって、上述した目的は完全に実現される。
【００２３】
第１の改良形態において、該阻止部は、特に第１の位置において、該固定作動部に接触する突出部またはバーを備えている。
【００２４】
この改良形態においては、単に突出部またはバーを形成することによる阻止が実現される。したがって、第３のモジュール部のハウジングの対応するデザインにより、シンプルで、そのため安価な方法で、阻止が実現される。
【００２５】
第２の改良形態において、第３のモジュール部は、第１のモジュール部をその上で着脱可能に保持することができる旋回ホルダ要素を有している。第３のモジュール部の該旋回ホルダ要素は、旋回軸によって旋回点を画成し、その結果、画成された運動経路に沿った旋回運動により、第１のモジュール部と第３のモジュール部を結合して、第２の結合構成を形成することができる。
【００２６】
この改良形態においては、第１のモジュール部と第３のモジュール部との間で旋回可能な接続が形成される。そのため、第１のモジュール部と第３のモジュール部を、単に、確固として定義された旋回点周りの旋回運動により、安全かつ確実に結合することができる。
【００２７】
さらなる改良形態において、該阻止部は、該旋回ホルダ要素の少なくとも一部である。
【００２８】
この改良形態において、該旋回ホルダ要素は、該旋回点を画成するためにだけ用いられるのではなく、同時に、第１のモジュール部を阻止するための阻止部としても用いられる。すなわち、該旋回ホルダ要素は、二重機能を有している。
【００２９】
さらなる改良形態において、第１のモジュール部は、第２のモジュール部をその上で着脱可能に保持することができる旋回ホルダ要素を有している。第１のモジュール部の該旋回ホルダ要素は、旋回軸によって旋回点を画成し、その結果、第１のモジュール部および第２のモジュール部は、画成された運動経路に沿った旋回運動によって結合して第１の結合構成を形成することができる。
【００３０】
この改良形態においては、第１のモジュール部と第２のモジュール部との間で旋回可能な接続が形成される。したがって、第１のモジュール部と第２のモジュール部は、単に、確固として定義された旋回点周りの旋回運動によって、安全かつ確実に結合することができる。このようにして、特に、第２の改良形態と組合わせて、二重の旋回可能な接続が形成される。
【００３１】
さらなる改良形態において、第１のモジュール部の該旋回ホルダ要素と、第３のモジュール部の該旋回ホルダ要素は、該モジュールの互いに反対側に配置されている。
【００３２】
この改良形態においては、該モジュール部の最適な旋回運動の上げ下げを実現することができる。具体的には、第３のモジュール部は、第１の方向に（例えば、右に向かって）下へ旋回させることができ、また、第１のモジュール部は、第１の方向の反対側の第２の方向に（例えば、左へ向かって）下へ旋回させることができる。
【００３３】
さらなる改良形態において、該固定係合部は、第１の位置において、第２のモジュール部の切欠き部に固定係合する突出部またはバーである。
【００３４】
この改良形態においては、第１のモジュール部を第２のモジュール部上に固定するためのシンプルで、そのため安価なデザインが実現される。そのため、第１のモジュール部を第２のモジュール部上に固定するためのスナップアクション式クロージャを設けることができる。
【００３５】
改良形態において、該固定要素は、スナップアクション式クロージャを備えている。
【００３６】
さらなる改良形態において、該固定要素は、決められた不動点を備えたレバーである。
【００３７】
この改良形態においては、レバー効果による該固定要素のシンプルで、そのため安価な動作が実現される。
【００３８】
さらなる改良形態において、該レバーは、該不動点に対して第１のレバー部および第２のレバー部を有する両側レバーである。該固定作動部は、第１のレバー部に設けられ、また、該固定係合部は、第２のレバー部に設けられている。
【００３９】
この改良形態においては、短いレバーを備えた有利なデザインが提供される。そのため、該固定作動部に及ぼす必要のある力の量が低減され、または、最小限にされる。
【００４０】
代替的な改良形態において、該レバーは、片側レバーである。
【００４１】
この改良形態においては、片側レバーにより、シンプルな実施態様が提供される。
【００４２】
さらなる改良形態において、該レバーの該固定作動部は、該不動点によって決められた不動点軸に垂直に配置されている平面内で、一方向に移動可能である。該固定作動部は、第１の位置において、該平面内の第１の角度位置に配置されている。該固定作動部は、第２の位置において、該平面内の別の第２の角度位置に配置されている。
【００４３】
この改良形態においては、シンプルな往復運動と、それによる該角度位置の変化によって、該固定要素の可動性がもたらされる。
【００４４】
さらなる改良形態において、該阻止部は、第２の結合構成において、第１の角度位置と第２の角度位置との間の領域に、少なくとも部分的に配置されている。
【００４５】
さらなる改良形態において、該固定作動部は、該固定要素の一方の端部に配置されている。
【００４６】
さらなる改良形態において、第１のモジュール部はハウジングを備えており、この場合、該固定要素は、該ハウジング上に固定されている。
【００４７】
この改良形態において、該固定要素は、外部から容易にアクセス可能である。そのため、第１および第２のモジュール部は、いつでも容易に取り外し可能である。
【００４８】
さらなる改良形態において、第１のモジュール部は、少なくとも１つの第１の電気接点を備え、この場合、第２のモジュール部は、少なくとも１つの第１の電気的嵌合接点を備え、その嵌合接点は、第１の結合構成において、第１のモジュール部と第２のモジュール部との間の電気的接続のために、第１のモジュール部の第１の電気接点に接触する。代替例として、または加えて、第３のモジュール部が、少なくとも１つの第１の電気接点を備え、この場合、第１のモジュール部は、少なくとも１つの第１の電気的嵌合接点を備え、その嵌合接点は、第２の結合構成において、第１のモジュール部と第３のモジュール部との間の電気的接続のために、第３のモジュール部の第１の電気接点に接触する。
【００４９】
この改良形態においては、第１のモジュール部と第２のモジュール部との間の電気的接続および／または第１のモジュール部と第３のモジュール部との間の電気的接続が形成される。具体的には、２つの電気的接続部を用いることにより、互いに電気的に接続されている３つのモジュール部への分離を実現することができる。
【００５０】
さらなる改良形態において、第１のモジュール部は、信号処理ユニットを備えている。あるいは、または加えて、第２のモジュール部は、通信バスまたは供給電圧バスのための少なくとも１つのバスコネクタを備えている。さらなる代替例として、または加えて、第３のモジュール部は、信号または電圧を供給するための少なくとも１つの外部コネクタを備えている。
【００５１】
この改良形態において、該３つのモジュール部の異なる機能の最適な分散を実現することができる。具体的には、第１のモジュール部には、電子モジュール部の機能を割り当てることができ、第２のモジュール部には、バスモジュール部の機能を割り当てることができ、および第３のモジュール部には、接続モジュール部の機能を割り当てることができる。
【００５２】
さらなる改良形態において、第１のモジュール部は、互いに冗長な方法で、少なくとも１つの入力信号を処理するために、２つの冗長信号処理チャネルを有している。該２つの冗長信号処理チャネルは、それぞれ、これに依存する信号を生成するために、論理信号の組合せを実行することを可能にすることができる。この信号は、好ましくは、工業設備の操業停止のためのスイッチング要素を駆動するのに用いることができる。少なくとも１つの入力信号は、第３のモジュール部の外部コネクタに存在する信号とすることができる。好ましくは、該２つの信号処理チャネルは、互いに冗長性を用いて２つの入力信号を処理する。その場合、該２つの入力信号の各々は、いずれの場合でも、第３のモジュール部の１つの外部コネクタに存在する信号とすることができる。
【００５３】
この改良形態においては、対応するモジュールまたはモジュール部は、安全なタスクまたは安全な機能を実行する。具体的には、この場合、該対応するモジュールまたはモジュール部は、工業設備のフェイルセーフ（ＦＳ）の操業停止に用いることができる。
【００５４】
さらなる改良形態において、該制御装置は、長手方向に互いに隣接して配置された複数のモジュールを有している。
【００５５】
さらなる改良形態において、第２のモジュール部は、ハウジングと、該長手方向に隣接している第１の隣接するモジュール部への電気的接続のための、該ハウジングの第１の側部の少なくとも１つの第１の電気的バスコネクタと、該長手方向に隣接している第２の隣接するモジュール部への電気的接続のための、該ハウジングの第１の側部とは反対側の第２の側部の少なくとも１つの第２の電気的バスコネクタとを備えている。
【００５６】
さらなる改良形態において、第３のモジュール部は、第１のモジュール部と第３のモジュール部を第２の結合構成で互いに接触させて固定するために、固定係合部を有する固定要素も備えている。
【００５７】
この構成においては、第１のモジュール部と第２のモジュール部だけが互いに接触して固定されているのではなく、第１のモジュール部と第３のモジュール部も互いに接触して固定されている。
【００５８】
さらなる改良形態において、第３のモジュール部は、第３のモジュール部の該固定要素の過伸展を防ぐために、過伸展防止要素を備えている。該過伸展防止要素は、具体的には、第３のモジュール部の該固定要素が第３のモジュール部から外れるのを防ぐための取外れ防止手段とすることができる。
【００５９】
この改良形態において、第３のモジュール部の該固定要素は、輸送中、および設置（該モジュールの組立）中の過伸展または取外れから守られている。該過伸展防止要素または取外れ防止要素は、具体的には、第３のモジュール部の該固定要素の前方に配置されているバーとすることができる。
【００６０】
上述した、およびこれから以下で説明される機能を、本発明の範囲から逸脱することなく、前述のそれぞれの組合せにおいてだけではなく、他の組合せにおいて、または単独で用いることができることは言うまでもない。
【００６１】
本発明の実施形態は、図面に図示されており、および以下の説明において詳細に説明されるであろう。
【図面の簡単な説明】
【００６２】
【図１】本発明の制御装置が適用される工業設備を単純化して示す図である。
【図２】第１のモジュール部および第２のモジュール部とともに、互いに隣接して配置された複数のモジュールを有する制御装置の斜視図を示す。
【図３】図２に示す制御装置の第２のモジュール部のみを示す斜視図である。
【図４】第１および第２の結合構成内に第１、第２および第３のモジュール部を有する本発明の第１の実施形態に係るモジュールの斜視図を示す。
【図４ａ】図４に示すモジュールの断面図を示す。
【図５】第３のモジュール部が取り外されている状態の、図４に示すモジュールの斜視図を示す。
【図５ａ】図５に示すモジュールの断面図を示す。
【図６】第１の結合構成において、第１のモジュール部が取り外された状態になっている、図４〜図５に示すモジュールの斜視図を示す。
【図６ａ】図６に示すモジュールの断面図を示す。
【図７】第１のモジュール部が取り外されている状態の、図４〜図６に示すモジュールの斜視図を示す。
【図７ａ】図７に示すモジュールの断面図を示す。
【図８】第１および第２の結合構成で第１、第２および第３のモジュール部を備える本発明の第２の実施形態に係るモジュールの斜視図を示す。
【図８ａ】図８に示すモジュールの断面図を示す。
【図８ｂ】図８ａに示す断面図の拡大領域Ｘを示す。
【図９】さらなる実施形態に係る第１および第２のモジュール部を備えているモジュールの斜視図を示す。
【図１０】さらなる実施形態に係る第１および第２のモジュール部を備えているモジュールの斜視図を示す。
【図１１】さらなる実施形態に係る第１および第２のモジュール部を備えているモジュールの斜視図を示す。
【図１１ａ】図１１に示す第１のモジュール部の斜視図を示す。
【図１２】第２のモジュール部、特に図２および図３に示す第２のモジュール部の斜視図を示す。
【図１３】図１２に示す第２のモジュール部の上からの平面図を示す。
【図１４】図１２および図１３に示す第２のモジュール部の内部斜視図を示す。
【図１４ａ】図１４に示す内部斜視図の拡大領域Ｘを示す。
【発明を実施するための形態】
【００６３】
図１は、本発明の制御装置１の実施形態に関する工業設備１０を示す。この実施形態において、制御装置１は、設備１０のフェイルセーフの操業停止のために構成されている。すなわち、制御装置１は、安全なタスクのために用いられる。設備１０は、この場合、例としてロボット１２を備え、稼働中のその動きは、ロボット１２の作業領域内にいる人に危険をもたらす。そのため、ロボット１２の作業領域は、安全ドア１４を備えた安全フェンスによって保護されている。安全ドア１４は、例えば、メンテナンス作業または設定作業のために、ロボット１２の作業領域内へのアクセスを可能にしている。しかし、通常の作業動作中に、ロボット１２は、安全ドア１４が閉まっている場合にのみ、作動できるようにすべきである。安全ドア１４が開かれるとすぐに、ロボット１２は、停止されるか、または別の方法で安全な状態にされる必要がある。
【００６４】
安全ドア１４の閉じた状態を検出するために、ドア部１６およびフレーム部１８を備えた安全ドアスイッチが、安全ドア１４に取り付けられている。フレーム部１８は、ライン２０上に安全ドア信号を生成し、その信号は、ライン２０を介して本発明の制御装置１へ供給される。
【００６５】
この実施形態において、制御装置１は、複数のコネクタ（例：外部装置コネクタ）２９を備えたＩ／Ｏ部２４を有している。いくつかの実施形態において、コネクタ２９は、制御装置１のハウジング２７の一つのハウジング側部に、例えば、以下で説明するように、接続モジュール部上に配置される接続端子またはＦ端子である。例えば、それらは、ばねで付勢された端子またはねじ端子であってもよい。
【００６６】
他の実施形態においては、該コネクタは、複数の接触要素（ピン）を備えている雄コネクタまたは雌コネクタとすることができ、この場合、１つのピンが、１つのそれぞれの接続部を形成している。多くの場合、５つの接触ピンを有する雌Ｍ８コネクタが、現場レベルでの信号装置または他のセンサの接続部に用いられている。それに応じて、本発明の制御装置の実施形態は、ロボット１２の物理的近傍の開閉装置キャビネットの外部に配置されているフィールド装置とすることができ、または、該フィールド装置を備えることができる。
【００６７】
この実施形態において、制御装置１は、２つの冗長信号処理チャネルを有している。例として、この場合、２つのマイクロコントローラ２８ａ，２８ｂが図示されており、それらは、それぞれＩ／Ｏ部２４に接続されている。マイクロコントローラ２８ａ，２８ｂは、この場合、互いに冗長性を用いて、Ｉ／Ｏ部２４の装置接続部において、制御装置１によって受け取られる入力信号を処理し、その後、前記マイクロコントローラがこの結果を比較し、そのことが矢印によって図示されている。２つのマイクロコントローラ２８ａ，２８ｂの代わりに、マイクロプロセッサ、ＡＳＩＣ、ＦＰＧＡおよび／または他の信号処理回路を用いることができる。
【００６８】
好ましくは、制御装置１の実施形態は、互いに冗長性を有し、およびそれぞれ、それに依存する信号を生成するために、論理信号の組合せを実行することが可能である少なくとも２つの信号処理チャネルを有している。その場合、この信号は、工業設備１０またはロボット１２を停止させるためのスイッチング素子を駆動するのに用いられる。このような制御装置１は、設備１０、この場合はロボット１２のフェイルセーフ（ＦＳ）の操業停止のために用いることができる。
【００６９】
ここで図示されているケースでは、制御装置１は、２つの冗長スイッチング素子３０ａ，３０ｂを有している。これら２つのスイッチング素子の各々は、接触器４０ａ，４０ｂへの電流フローを可能にするために、または、この電流フローを遮断するために、高電位３２を、制御装置１の装置接続部３８ａ，３８ｂに接続することが可能である。したがって、スイッチング素子３０ａ，３０ｂの各々は、アクチュエータ、例えば、接触器または電磁弁の作動を停止させることができる。
【００７０】
接触器４０ａ，４０ｂは、それぞれ、操作接点４２ａ，４２ｂを有している。操作接点４２ａ，４２ｂは、この場合、電力供給部４４からロボット１２への電力供給路内で、互いに直列に配置されている。制御装置１が接触器４０ａ，４０ｂの作動を停止させるとすぐに、接点４２がドロップアウトし、およびロボット１２のための電力供給が停止される。当業者にとって、このような「ラジカルな」操業停止が、ここでは例として記載されていることは明らかである。これからの派生として、危険な動作等の安全要求事項の場合、ロボット１２の部分のみを停止させることができ、一方で、ロボット１２の他の部分は、機能を維持したままである。可能な限り該動作の停止前に、ロボット１２を制御された方法で停止させることができるように、遅延停止も想定される。
【００７１】
制御装置１は、この場合、ライン１９上の安全ドアスイッチの信号により、および非常停止ボタン４６からのさらなる入力信号により、スイッチング素子３０ａ，３０ｂを制御する。非常停止ボタン４６は、ラインを介して、制御装置１の装置接続部にも接続されている。好ましくは、該入力信号の各々は、冗長的に存在することが可能であり、または、それぞれのケースにおいて、２つの入力および出力ラインまたは接続部を設けることができる（図１には図示せず）。そのため、図１に示す実施例においては、非常停止ボタン４６のために、２つの入力ラインまたは入力部を設けることができ、その入力ラインまたは入力部は、それぞれ、非常停止ボタン４６からの入力信号を供給する。同じことが、該安全ドアスイッチの信号にも当てはまる。
【００７２】
いくつかの実施形態において、制御装置１は、個々の信号装置に供給される出力信号を生成する。例として、このような出力信号は、ライン４８を介して該安全ドアスイッチのフレーム部１８へ流される。フレーム部１８は、ドア部１６が、フレーム部１８の近傍に位置している場合、すなわち、安全ドア１４が閉まっている場合に、安全スイッチング装置１の出力信号をライン４８からライン１９上へループさせる。そのため、制御装置１は、ライン４８上の出力信号を用いて、およびライン１９上の入力信号を用いて、該安全ドアスイッチをモニタすることができる。この場合、同等の方法で、制御装置１は、非常停止ボタン４６をモニタする。
【００７３】
図１の実例からの派生として、実際には、多くの場合、制御装置１の２つの冗長出力信号が用いられ、それらの出力信号は、それぞれ、別々の信号ラインを介して信号装置へ流れ、およびこの信号装置を介して制御装置１へループして戻る。例として、このような実施形態のために、特許文献２が参照され、該公報は、このような信号装置の冗長モニタリングに関連する詳細に関して、本願明細書に参照することにより組み込まれる。また、非常停止ボタン４６は、実際には、上述したように、冗長入力および出力ラインを用いてしばしばモニタされる。
【００７４】
制御装置１の図１に示す実施形態において、該制御装置は、安全なタスクに、具体的には、設備のフェイルセーフ（ＦＳ）の操業停止のために用いられる。しかし、制御装置１は、非安全関連タスクまたは標準タスク（ＳＴ）にも用いることができる。
【００７５】
制御装置１は、具体的には、該工業設備の制御のためのプログラム可能な制御装置とすることができる。あるいは、制御装置１は、設定可能な制御装置とすることもできる。この場合、設定可能とは、例えば、配線等の、コントローラーのハードウェアコンポーネントのマッチングまたは調整を意味すると理解される。プログラム可能とは、例えば、プログラム言語を用いた、該コントローラーのソフトウェアコンポーネントのマッチングまたは調整を意味すると理解される。
【００７６】
制御装置１は、少なくとも１つのバス、具体的には、通信バスおよび／または供給電圧バスを備えることができる。例えば、制御装置１は、そのコンポーネントがバスを介して互いに接続されている分散制御装置とすることができる。該制御装置は、特に、該（通信）バス上のデータトラフィックの調整のためのヘッドモジュールを備えることができる。安全なタスクのための制御装置１の場合、該（通信）バスは、例えば、SafetyBUS pまたはPROFINET等のフェイルセーフバスとすることができる。標準タスクのための制御装置１の場合、該バスは、例えば、CANOpenまたはDeviceNet等の標準フィールドバスとすることができる。
【００７７】
制御装置１は、具体的には、少なくとも１つのモジュールを備えているモジュール式制御装置である。図２は、第１のモジュール部１０２および第２のモジュール部１０４を備え、互いに隣接して配置された複数のモジュール１００を備えている、該モジュール式制御装置の実施形態の斜視図を示す。第３のモジュール部１０６は、図２に図示されていない。
【００７８】
第１のモジュール部１０２は、ハウジング１０３を備えている。第２のモジュール部１０４は、ハウジング１０５を備えている。第２のモジュール部１０４は、少なくとも１つのバスコネクタ１１７，１１８を備えている。そのため、第２のモジュール部１０４は、以下においては、バスモジュール部とも呼ばれている。
【００７９】
図３は、第２のモジュール部（バスモジュール部）１０４のみを備えた、図２に示す制御装置の実施形態の斜視図を示す。第２のモジュール部（バスモジュール部）１０４と、モジュール１００は、それぞれ、長手方向Ｌにおいて、互いに隣接して配置されている。第２のモジュール部１０４と、モジュール１００は、図３に図示されているように、それぞれ、ガイドレール１０１上に取り付けられている。
【００８０】
第２のモジュール部（バスモジュール部）１０４は、供給電圧バスのためのバスコネクタ１１７と、通信バスのためのバスコネクタ１１８とを有している。第２のモジュール部（バスモジュール部）１０４は、長手方向Ｌに隣接している隣接するモジュール部（図２および図３の右側で隣接している隣接するモジュール部）への電気接続のために、ハウジング１０５の第１の側部に、第１の電気バスコネクタ１１７，１１８を備えている。第２のモジュール部（バスモジュール部）１０４は、長手方向Ｌに隣接している別の隣接するモジュール部（図２および図３の左側で隣接している隣接するモジュール部）への電気接続のために、第１の側部とは反対側の、ハウジング１０５の第２の側部に、第２の電気バスコネクタ１１７’，１１８’（図３には図示せず）をさらに備えている。具体的には、第２の電気バスコネクタ１１７’，１１８’は、他の隣接するモジュール部の対応する第１の電気バスコネクタ１１７，１１８に接続することができる。このようにして、該供給電圧バスと、該通信バスは、第２のモジュール部（バスモジュール部）１０４越しに接続されている。
【００８１】
制御装置１は、特に、上述したように、該（通信）バス上のデータトラフィックの調整のためのインタフェースおよび処理部を備えるヘッドモジュール（図２および図３には図示せず）をさらに備えることができる。その場合、該ヘッドモジュールは、同様にガイドレール１０１上に取り付けることができる。該ヘッドモジュールは、上述したように、長手方向Ｌで、第２のモジュール部（バスモジュール部）１０４またはモジュール１００に隣接して配置することができる。
【００８２】
図２および図３において、該ヘッドモジュールは、例えば、長手方向Ｌに、第１のモジュール１００に隣接して左側に配置することができ、および第１のバスコネクタ１１７，１１８を介して該モジュールに接続することができる。各モジュール１００または対応する第１のモジュール部（電子モジュール部１０２）は、Ｉ／Ｏ（入力／出力）モジュールまたはモジュール部とすることができる。該Ｉ／Ｏモジュールまたはモジュール部は、フェイルセーフ（ＦＳ）モジュールまたは非フェイルセーフの標準モジュール（ＳＴ）とすることができる。例として、このような実施形態に関して、特許文献３が参照され、それは、このようなモジュール式制御装置に関連する詳細に関して、本願明細書に参照されて組み込まれる。
【００８３】
図３を見て分かるように、いわゆるバックプレーンが、互いに隣接する第２のモジュール部（バスモジュール部）１０４によって形成されている。その場合、第１のモジュール部１０２は、自由に選択可能な方法で、このバックプレーンに配置することができる。該バックプレーンは、この場合、特に、実質的に平らな上面を形成している。該バックプレーン上での一列に互いに隣接する第１のモジュール部（電子モジュール部）１０２の連続的な構成は、必ずしも必要ではない。
【００８４】
図２を見て分かるように、第１のモジュール部（電子モジュール部）１０２は、特定の第２のモジュール部（バスモジュール部）１０４上に、または、第２のバスモジュール部（バスモジュール部）１０４の基本幅ｄの特定の部分に配置されることは、必ずしも必要なことではない。
【００８５】
再び、図２を参照して、少なくとも１つの第１のモジュール部１０２は、それぞれの第２のモジュール部１０４（バスモジュール部）に差し込むことができる。好ましくは、第１のモジュール部１０２は、例えば、図１に関連して説明されているように、１つ以上の処理ユニットを用いる、自動制御用の電気制御回路を備えている。第１のモジュール部１０２は、以下においては、電子モジュール部とも呼ばれている。
【００８６】
第１のモジュール部１０２（電子モジュール部）と第２のモジュール部１０４（バスモジュール部）は、図２に示すように、機械的および電気的に結合して第１の結合構成を形成することができる。制御装置１のこのモジュール式デザインにより、相当の複雑さを伴うことなく、変更および適応に対応することが可能である。
【００８７】
図２および図３に示す実施形態において、第２のモジュール部（バスモジュール部）１０４には、複数の異なる幅構造が設けられている。第１のモジュール部（電子モジュール部）１０２は、長手方向Ｌに基本幅ｄを有している。第２のバスモジュール部１０４（バスモジュール部）のうちのいくつかは、それぞれ、長手方向Ｌに、基本幅ｄの整数倍（ｎ倍）の幅、この場合、具体的には、（図２および図３において４ｄで示す）基本幅ｄの４倍の幅を有している。そのため、この場合、該整数倍は、偶数倍、すなわち、４である。該基本幅の４倍は、特に、比較的大きなバックプレーンの組立てに適していることが確認されている。しかし、他のいずれかの適当な整数倍を選択してもよい。
【００８８】
図２および図３の実施形態を見て分かるように、別の第２のモジュール部（バスモジュール部）１０４は、基本幅ｄに一致する幅を有している。そのため、第２のモジュール部（バスモジュール部）には、異なる幅を有する２つの幅構造、すなわち、基本幅ｄを有する第１の幅構造と、基本幅ｄの４倍である幅４ｄを有する第２の幅構造とが設けられている。したがって、該バックプレーンは、第１および／または第２の幅構造の第２のモジュール部（バスモジュール部）を互いに隣接させて配置することにより、自由に選択可能な方法で結合することができる。基本幅ｄの整数倍の幅を第２のモジュール部（バスモジュール部）１０４に設けることにより、基本幅ｄを有する第２のモジュール部１０４のみを用いた場合と比較して、より少ない数の第２のモジュール部１０４を要することになる。
【００８９】
図２に示す実施形態においては、すべての第１のモジュール部（電子モジュール部）１０２が、長手方向Ｌに基本幅ｄを有している。しかし、長手方向Ｌに、基本幅ｄの整数倍（ｍ倍）、具体的には、偶数倍（例えば、２倍）の幅を有する他の第１のモジュール部１０２を設けることも可能である。例えば、他の第１のモジュール部は、長手方向に、基本幅ｄの２倍の幅を有することができる。そのため、第１のモジュール部（電子モジュール部）には、異なる幅を有する２つの幅構造、すなわち、該基本幅ｄを有する第１の幅構造と、基本幅ｄの整数倍（ｍ倍）の幅を有する第２の幅構造とが設けられている。その場合、第２の幅構造の第１のモジュール部は、互いに隣接する２つの第２のモジュール部（バスモジュール部）１０４間の断絶箇所を越えて配置することができる。
【００９０】
図４は、第１のモジュール部１０２と、第２のモジュール部１０４と、第３のモジュール部１０６とを備えているモジュール１００の第１の実施形態の斜視図を示す。図４ａは、図４に示すモジュール１００の対応する断面図を示す。
【００９１】
第１または第２のモジュール部１０２，１０４は、この実施形態において、特に、図２および図３に関して説明したような第１または第２のモジュール部とすることができる。
【００９２】
第３のモジュール部１０６は、ハウジング１０７を備えている。第３のモジュール部１０６は、外部から信号または電圧を印加するための少なくとも１つの外部コネクタ１２９をさらに備えている。コネクタ１２９は、特に、図１に関して説明したコネクタ２９とすることができ、または、該コネクタを備えることができる。
【００９３】
図４および図４ａにおいては、第３のモジュール部のハウジング１０７上に互いに隣接して配列されている複数の外部コネクタ１２９が図示されている。そのため、第３のモジュール部１０６は、以下においては、接続モジュール部とも呼ばれている。図示されている実施形態において、第３のモジュール部１０６は、単列状に配列されている（１６ポールおよび単列）１６個の外部コネクタ１２９を備えている。しかし、他のあらゆる適当な数および構成の外部コネクタも設けることができることを理解すべきである。外部コネクタは、（例えば、アクチュエータへの）出力信号を送信するための出力部、または、（例えば、センサからの）入力信号を受取るための入力部であってもよい。
【００９４】
既に図２に関連して説明したように、第１のモジュール部１０２と第２のモジュール部１０４は、機械的および電気的に結合して第１の結合構成を形成することができる。第１のモジュール部１０２と第３のモジュール部１０６もまた、機械的および電気的に結合して第２の結合構成を形成することができる。図４および図４ａは、第１および第２の結合構成における該モジュール部を示す。
【００９５】
次に、該モジュール部の機械的組立てについて、図４ａを参照して以下詳細に説明する。図４ａを見て分かるように、第３のモジュール部（接続モジュール部）１０６は、第１のモジュール部（電子モジュール部）１０４を着脱可能に保持することができる、または、該モジュール部が保持される旋回ホルダ要素１１２を有している。そのため、旋回ホルダ要素１１２は、旋回軸Ａ’によって旋回点Ｓ’を画成している。このようにして、第１のモジュール部１０２と第３のモジュール部１０６は、画成された運動経路に沿った旋回運動により、第２の結合構成に機械的に結合することができる。
【００９６】
図４ａを見て分かるように、第１のモジュール部（電子モジュール部）１０２もまた、第２のモジュール部１０４（バスモジュール部）を着脱可能に保持することができる、または、該モジュール部が保持される旋回ホルダ要素１１０を備えている。そのため、旋回ホルダ要素１１０は、旋回軸Ａによって旋回点Ｓを画成している。このようにして、第１のモジュール部１０２と第２のモジュール部１０４は、画成された運動経路に沿った旋回運動により、第２の結合構成に結合される。
【００９７】
図４ａに示す実施形態において、旋回ホルダ要素１１０，１１２は、いずれの場合でも、対応する他のモジュール部における切欠き部に係合する突出部（例えば、曲線状の突出部、フック等）を備えている。このようにして、旋回可能な接続部が設けられている。したがって、これらのモジュール部は、固定して画成された旋回点周りの単純な旋回運動によって、安全かつ確実に結合することができる。
【００９８】
図示されている実施形態において、第１のモジュール部１０２の旋回ホルダ要素１１０と、第３のモジュール部の旋回ホルダ要素１１２は、モジュール１００の反対側に互いに配置されている。したがって、第３のモジュール部１０６は、第１の方向へ離れて（図４ａの右に向かって）旋回することができ、また、第１のモジュール部１０２は、第１の方向とは逆の第２の方向へ離れて（図４ａの左へ向かって）旋回することができる。
【００９９】
次に、該モジュール部の電気的組立てについて、図４ａを参照してより詳細に説明する。第１のモジュール部（電子モジュール部）１０２は、少なくとも１つの電気接点１２０を備え、第２のモジュール部（バスモジュール部）１０４は、第１の結合構成において、第１のモジュール部（電子モジュール部）１０２と、第２のモジュール部（バスモジュール部）１０４との間の電気的接続のために第１の電気接点１２０とに接触する少なくとも１つの第１の電気的嵌合接点１３０を備えている。第１のモジュール部１０２の第１の電気接点１２０は、非導電性基板上の導体トラックであり、その結果、プリント回路基板１２１が形成される。第２のモジュール部１０４の第１の嵌合接点１３０は、雄または雌コネクタ１３１内に配列されている接触要素（ピン）である。プリント回路基板１２１は、雄または雌コネクタ１３１に挿入することができる。したがって、プラグタイプの接続部が形成される。具体的には、複数の電気接点１２０と、複数の対応する嵌合接点１３０とが設けられている。複数の接点１２０は、プリント回路基板１２１上に、互いに隣接して配列されている。複数の対応する嵌合接点１３０は、それに応じて、雄または雌コネクタ１３１内に互いに隣接して配列されている。
【０１００】
図４および図４ａを見て分かるように、接点１２０と、対応する嵌合接点１３０は、それぞれ第１のグループを構成している。この実施形態において、第１のグループは、バスコネクタ１１７を用いて接続されている該通信バスの電圧または信号を、第２のモジュール部（バスモジュール部）１０４から第１のモジュール部（電子モジュール部）１０２へ送信するという目的を果たす。
【０１０１】
さらに、接点１２０’から成る第２のグループが、既に接点１２０および嵌合接点１３０に関連して説明したように、対応するプリント回路基板１２１’上に設けられ、および対応する嵌合接点１３０’が、雄または雌コネクタ１３１’内に設けられている。この実施形態において、接点１２０’または嵌合接点１３０’の第２のグループは、バスコネクタ１１８を用いて接続されている供給電圧バスの電圧を、第２のモジュール部（バスモジュール部）１０４から第１のモジュール部（電子モジュール部）１０２へ送信するという目的を果たす。
【０１０２】
図５は、第３のモジュール部（接続モジュール部）１０６が取り外されている状態の、図４に示すモジュール１００の第１の実施形態の斜視図を示す。図５ａは、図５に示すモジュール１００の対応する断面図を示す。
【０１０３】
図５および図５ａを見て分かるように、第３のモジュール部（接続モジュール部）１０６もまた、少なくとも１つの電気接点１３２を備え、また、第１のモジュール部（電子モジュール部）１０２は、第２の結合構成において、第１のモジュール部（電子モジュール部）１０２と第３のモジュール部（接続モジュール部）１０６との間の電気的接続のために、第３のモジュール部（バスモジュール部）１０６の第１の接点１３２に接触する少なくとも１つの対応する第１の電気的嵌合接点１２２を備えている。
【０１０４】
第１のモジュール部１０２の第１の電気的嵌合接点１２２は、非導電性基板上の導体トラックであり、その結果、プリント回路基板１２３が形成される。第３のモジュール部１０６の第１の電気接点１３２は、雄または雌コネクタ１３３内に配列されている接触要素（ピン）である。プリント回路基板１２３は、雄または雌コネクタ１３３に挿入することができる。このようにして、プラグタイプの接続部が形成される。具体的には、第３のモジュール部１０６の複数の第１の電気接点１３２と、第１のモジュール部１０２の複数の対応する第１の電気的嵌合接点１２２とが設けられている。第３のモジュール部１０６の複数の第１の電気接点１３２は、雄または雌コネクタ１３３内に互いに隣接して配列されている。それに応じて、第１のモジュール部１０２の複数の対応する第１の電気的嵌合接点１２２は、プリント回路基板１２３上に、互いに隣接して配列されている。
【０１０５】
第１および第２のモジュール部１０２，１０４を、互いに接触させて第１の結合構成で固定するために、第１のモジュール部１０２（電子モジュール部）は、固定係合部１１４ｂを有する固定要素１１４を備えている。固定要素１１４または固定係合部１１４ｂは、第１および第２の位置に移動可能である。
【０１０６】
図４および図４ａに示すように、第１の位置において、固定係合部１１４ｂは、第１の結合構成で第２のモジュール部１０４（バスモジュール部）と固定係合しており、その結果、第１のモジュール部（電子モジュール部）１０２と、第２のモジュール部（バスモジュール部）１０４は、互いに接触して固定される。
【０１０７】
図４ａに示す固定係合部１１４ｂは、第１の位置において、第２のモジュール部１０４の切欠き部１１５ｂに固定係合する突出部またはバーである。この機械的な係合は、何らかの適当な方法で実現または説明できることを理解すべきである。例えば、第２のモジュール部１０４の突出部またはバーもまた、第１のモジュール部１０２の切欠き部または固定要素１１４に係合することができる。
【０１０８】
固定要素１１４の第２の位置（図４および図５には図示せず）において、固定係合部１１４ｂは、第１のモジュール部（電子モジュール部）１０２と、第２のモジュール部（バスモジュール部）１０４とが、互いに着脱可能であるように、第１の結合構成で配置されている。そのため、固定要素１１４の第２の位置において、第１のモジュール部（電子モジュール部）１０２と、第２のモジュール部（バスモジュール部）１０４は、互いに接触して固定されない。固定要素１１４は、固定作動部１１４ａをさらに備え、それを用いて、固定要素１１４は、第１の結合構成において、固定作動部１１４ａに力が及ぼされたときに、第１の位置と第２の位置との間で移動可能になっている。
【０１０９】
図６は、第１の結合構成における第１のモジュール部１０２が取り外し可能になっている状態の、図４および図５に示すモジュール１００の第１の実施形態の斜視図を示す。図６ａは、図６に示すモジュール１００の対応する断面図を示す。
【０１１０】
図７は、第１のモジュール部１０２が取り外されている状態の、図４〜図６に示すモジュール１００の第１の実施形態の斜視図を示す。図７ａは、図７に示すモジュールの対応する断面図を示す。
【０１１１】
図５および図５ａは、第１の位置における固定要素１１４を示し、この場合、第１のモジュール部（電子モジュール）１０２と第２のモジュール（バスモジュール部）１０４は、互いに接触して固定されている。固定作動部１１４ａは、この場合、第１の空間領域Ｒ１内の第１の位置に配置されている。
【０１１２】
図６および図６ａは、第２の位置における固定要素１１４を示し、この場合、第１のモジュール部（電子モジュール部）１０２と第２のモジュール部（バスモジュール部）１０４は、互いに取り外し可能である。固定作動部１１４ａは、この場合、第２の位置内の第２の空間領域Ｒ２に配置されている。
【０１１３】
第３のモジュール部１０６は、阻止部１１３を有する。該阻止部は、第２の結合構成または状態（図４および図４ａ）において、第２の空間領域Ｒ２内に少なくとも部分的に配置されている。図示されている実施形態において、阻止部１１３は突出部であり、または、（第１の位置において）固定作動部１１４ａに接触する突出部を備えている。そのため、固定要素１１４が、第１および第２の結合構成において、第２の位置へ移動するのが妨げられ、または阻止されるようにデザインされている阻止部１１３が用いられる。この場合、第１のモジュール部（電子モジュール部）１０２と第２のモジュール部（バスモジュール部）１０４は、互いに取り外し可能になっているであろう。それにより、第１のモジュール部（電子モジュール部）１０２は、第３のモジュール部（接続モジュール部）１０６が取り外されるまで阻止される。そのため、第２のモジュール部（バスモジュール部）１０４からの第１のモジュール部（電子モジュール部）１０２の除去または取外しは、第３のモジュール部（接続モジュール部）１０６が取り外されたときにのみ可能である。
【０１１４】
したがって、第１のモジュール部（電子モジュール部）１０２は、該モジュールがまだ使用中である場合、例えば、接続モジュール部１０６の外部コネクタ１２９に電圧または信号が存在している場合、第２のモジュール部（バスモジュール部）１０４から引き抜くことができない。そのため、該バスおよび／または接続されている周辺装置（例えば、アクチュエータ）で障害が起きない。さらに、ユーザが、高電圧で負傷することもない。図示されている実施形態において、阻止部１１３は、旋回保持要素１１２の一部であり、または、該要素と同一の空間を占めている。
【０１１５】
図４〜図７に示す実施形態において、固定要素１１４は、決められた不動点Ｆを有するレバーである。該レバーは、この場合、不動点Ｆに対する第１のレバー部および第２のレバー部を有する両側レバーである。固定作動部１１４は、第１のレバー部上に設けられ、また、固定係合部１１４ｂは、第２のレバー部上に設けられている。該レバーの固定作動部１１４に力を及ぼすことにより、固定要素１１４または該レバーは、第１の位置（図４および図４ａ，図５および図５ａ）と、第２の位置（図６および図６ａ）との間で移動可能である。固定要素１１４は、第１のモジュール部１０２のハウジング１０３上に固定され、および該ハウジングに一体形成されている。固定要素１１４（または、該レバー）をハウジング１０３上に固定することにより、不動点Ｆが決まる。
【０１１６】
該レバーの不動点Ｆによって決まる不動点軸ＦＡに垂直に配置されている平面ＥＦが画成されている。図４〜図６において、不動点軸ＦＡは、図の平面に垂直に伸びており、平面ＥＦは、図の平面内にあるか、または、図の平面に垂直になっている。該レバーの固定作動部１１４ａは、平面ＥＦ内で、一方向に移動可能である。換言すれば、該レバーの固定作動部１１４ａは、図の平面の方向に、および図の平面の方向から動くことができる。第１の位置において（図４および図４ａ、図５および図５ａ）、固定作動部１１４ａは、平面ＥＦ内の第１の角度位置に配置されている。その場合、固定作動部１１４ａは、第１の空間領域Ｒ１内に配置される。第２の位置（図６および図６ａ）においては、該レバーの固定作動部１１４ａは、平面ＥＦ内の別の第２の角度位置に配置されている。その場合、固定作動部１１４ａは、第２の空間領域Ｒ２内に配置される。図４ａを見て分かるように、第２の結合構成または状態における阻止部１１３は、第１の角度位置と第２の角度位置との間の領域に少なくとも部分的に配置されている。該突出部または阻止部１１３は、この場合、第１の角度位置と第２の角度位置との間の該領域内まで伸びている。
【０１１７】
図８は、第１および第２の結合構成で、第１のモジュール部１０２と、第２のモジュール部１０４と、第３のモジュール部１０６とを備えているモジュール１００の第２の実施形態の斜視図を示す。
【０１１８】
図８ａは、図８に示すモジュール１００の対応する断面図を示す。第１の実施形態に関連する記述については、図４〜図７を参照して実質的に説明されている。しかし、図８および図８ａに図示されている第２の実施形態と、図４〜図７に示す第１の実施形態との違いは、この場合、固定要素１１４が片側レバーであるということにある。図８ｂは、図８ａの断面図の拡大領域Ｘを示す。固定要素１１４は、片側レバーの形態であり、ここでは、拡大した形で図示されている。固定作動部１１４ａと固定係合部１１４ｂはともに、該片側レバー上に設けられている。固定係合部１１４ｂは、（図８、図８ａおよび図８ｂに示すような）第１の位置において、第２のモジュール部１０４の切欠き部１１５ｂに固定係合する突出部またはバーである。第２のモジュール部１０４の切欠き部１１５ｂは、第２のモジュール部１０４のハウジング１０５の（その境界またはバックプレーンに関連する）突出部１３８に配置される。
【０１１９】
図４、図４ａ、図５および図５ａを見て分かるように、第３のモジュール部１０６（接続モジュール部）もまた、第２の結合構成において、第１および第３のモジュール部１０２，１０６を互いに隣接させて固定するために、固定係合部１１６ｂを有する固定要素１１６を備えている。固定要素１１６または固定係合部１１６ｂは、第１および第２の位置に移動可能である。第１の位置においては、図４ａに示すように、固定係合部１１６ｂは、第２の結合構成において、第１のモジュール部１０２（電子モジュール部）に固定係合し、その結果、第１のモジュール部（電子モジュール部）１０２と、第３のモジュール部（接続モジュール部）１０６は、互いに接触して固定される。図４ａに示す固定係合部１１６ｂは、第１の位置において、第１のモジュール部１０２の切欠き部に固定係合する突出部またはバーである。この機械的な係合は、何らかの適当な方法で実現または説明できることを理解すべきである。例えば、第１のモジュール部１０２の突出部またはバーは、第３のモジュール部の切欠き部または固定要素１１６にも係合することができる。
【０１２０】
固定要素１１６の第２の位置（図４および図５には図示せず）において、固定係合部１１６ｂは、第１のモジュール部（電子モジュール部）１０２と第３のモジュール部（接続モジュール部）１０６が互いに取り外し可能であるように、第２の結合構成で配置されている。そのため、固定要素１１６の第２の位置において、第１のモジュール部（電子モジュール部）１０２と第３のモジュール部（接続モジュール部）１０６は、互いに接触して固定されない。固定要素１１６は、固定作動部１１６ａをさらに備え、第２の結合構成における固定要素１１６は、固定作動部１１６ａに力が及ぼされた場合、該固定作動部によって、第１の位置と第２の位置との間で移動可能である。図示されている実施形態において、固定要素１１６は、決まった不動点Ｆ’を有する（片側）レバーである。固定要素１１６は、第３のモジュール部１０６のハウジング１０７上に固定され、および該ハウジングに一体形成されている。固定要素１１６（または、該レバー）がハウジング１０７上に固定されていることにより、不動点Ｆ’が決まる。
【０１２１】
さらに、第３のモジュール部１０６は、固定要素１１６を過伸展（または、第３のモジュール部１０６の取外れ）から守るための過伸展防止要素（または、取外れ防止要素）１６６を備えている。したがって、固定要素１１６（または、レバー）は、輸送中および設置中（該モジュールの組立）の過伸展または取外れから守られている。図４、図４ａ、図５および図５ａを見て分かるように、この実施形態における過伸展防止要素（または、取外れ防止要素）１６６は、第３のモジュール部１０６の固定要素１１６の前方に設けられているバーである。バー１６６によって、その中に固定作動部１１６ｂが配置される切欠き部が形成されている。該切欠き部は、第１の位置と第２の位置との間で固定作動部１１６ｂを動かすのに十分な大きさである。
【０１２２】
以下、第１のモジュール部（電子モジュール部）１０２と第２のモジュール部（バスモジュール部）１０４との機械的組立てまたは取外しについて、より詳細に説明する。
【０１２３】
第１のモジュール部（電子モジュール部）１０２のハウジング１０３は、この場合、境界面１０３ａを備え、また、第２のモジュール部（バスモジュール部）１０４のハウジング１０５は、境界面Ｇが画成されるように、（例えば、図４〜図６を見て分かるように）第１の結合構成または状態で互いに対向する（図７および図７ａに示す）境界面１０５ａを備えている。図４ａ，図５ａ，図６ａ，および図７ａにおいて、境界面Ｇは、図の平面に水平に広がっている。第２のモジュール部（バスモジュール部）１０４の境界面１０５ａは、該バックプレーンを形成している。第１のモジュール部１０２のプリント回路基板１２１，１２１’は、第２のモジュール部の境界面１０５ａを通って、ハウジング１０５内の（嵌合接点１３０，１３０’、または、雄または雌コネクタ１３１，１３１’を有する）対応する切欠き部に挿入することができる。そのため、第１のモジュール部（電子モジュール）１０２と、第２のモジュール部（バスモジュール部）１０４は、第１の結合構成または状態において、境界面Ｇ内で平面的に重なって位置している。
【０１２４】
図７および図７ａにおいて、第１のモジュール部（電子モジュール部）１０２と第２のモジュール部（バスモジュール部）１０４は、旋回点Ｓまわりの決まった運動経路に沿った旋回運動により、互いに取り外される。旋回軸Ａによって旋回点Ｓを画成する旋回ホルダ要素１１０は、該モジュール部の機械的組立に関連して既に説明されている。
【０１２５】
図７を見て分かるように、第２のモジュール部（バスモジュール部）１０４のハウジング１０５は、旋回点Ｓから斜めに伸びている傾斜縁部１３６を備えている。いずれの場合にも、１つの傾斜縁部１３６が、ハウジング１０５の両側に設けられている。２つの傾斜縁部１３６の間の領域にはガイドポケットが形成され、旋回中、ガイドポケット内に、第１のモジュール部（電子モジュール部）１０２を案内することができる。したがって、旋回中の自由度が最小限になり、または、該旋回点における遊びが最小限になる。そのため、それらのモジュール部を安全かつ確実に結合することができる。したがって、具体的には、第１のモジュール部（電子モジュール部）１０２のプリント回路基板１２０，１２０’を、第２のモジュール部（バスモジュール部）１０４の対応する雄型または雌型のコネクタ１３０，１３０’に正確かつ手際よく案内することができる。
【０１２６】
図９〜図１１はそれぞれ、第１のモジュール部１０２および第２のモジュール部１０４に関するモジュール１００のさらなる実施形態を示す。第１および第２の実施形態に関連する記述は、図４〜図８を参照して実質的に説明されている。しかし、図９に図示されている実施形態と、図４〜図７に示す第１の実施形態の違いは、旋回ホルダ要素１１０がその中に案内される該ガイドポケットが、２つの直線状の縁部１３７間に形成されていることに関連している。該直線状の縁部は、境界面Ｇ内に、または、境界面１０５ａ内に位置している。第１のモジュール部１０２の該旋回ホルダ要素は、この場合、境界面Ｇ、または、突出部またはバーの形態の第１のモジュール部１０３ａの境界面１０３ａを越えて伸びている。図９に示す実施形態を識別するさらなる違いは、平面によって形成されている固定要素１１４に関連している。
【０１２７】
図１０に示す実施形態は、図８に示す実施形態に実質的に一致している。図１０に示す実施形態と、図４〜図７に示す第１の実施形態の違いは、突出部の形態の旋回ホルダ要素１１０がガイドポケット内に案内されないということに関連している。それにもかかわらず、この場合は、巧みな旋回運動を確実にするために、ハウジング１０５の（境界面Ｇまたはバックプレーンに関連する）突出部１３８の両側にガイド１３９が設けられている。
【０１２８】
図１１に示す実施形態と、図４〜図７に示す第１の実施形態の違いは、第１のモジュール部（電子モジュール部）１０２の旋回ホルダ要素１１０は、第２のモジュール部のハウジング１０３によって形成された切欠き部に配置されているバーを備えているということに関連している。より正確には、この切欠き部は、境界面１０５ａに配置された湾曲突出部１４０によって形成されている。旋回ホルダ要素１１０は、この場合、図４〜図７に関連する第１の実施形態と同様に、図１１に示す実施形態における突き出ている突出部によって形成されていないが、切欠き部に形成されたバーによって形成されている。それに応じて、図１１においては、バー１１０がその中に係合する第２のモジュール部（バスモジュール部）１０４の該切欠き部が、湾曲突出部１４０によって形成されている。
【０１２９】
図１２は、第２のモジュール部１０４、具体的には、図２および図３における第２のモジュール部（バスモジュール部）１０４の実施形態の斜視図を示す。図１３は、図１２の第２のモジュール部１０４の上から見た平面図を示す。図１４は、図１２および図１３における第２のモジュール部１０４の内部斜視図を示す。図１４ａは、図１４に示す斜視図の拡大領域Ｘを示す。
【０１３０】
第２のモジュール部（バスモジュール部）１０４は、第１の位置および第２の位置へ移動可能な少なくとも１つの可動部１５０を備えている。第１の位置において、可動部１５０は、第１のバスコネクタ１１７と第２のバスコネクタ１１７’との間の電気的接続をもたらしている。第２の位置においては、可動部１５０は、第１のバスコネクタ１１７と第２のバスコネクタ１１７’との間の絶縁点１５２をもたらしている。先行する図を参照して既に説明されているように、第１および第２のバスコネクタ１１７，１１７’は、この場合、いずれの場合でも、供給電圧に接続する供給電圧バスのバスコネクタである。
【０１３１】
図１２〜図１４に示す実施形態において、第２のモジュール部（バスモジュール部）１０４は、整数ｎに一致する複数の可動部１５０，１５０ａ〜１５０ｃを備えている。この実施形態における第２のモジュール部（バスモジュール部）１０４の幅は、図２および図３を参照して既に説明されているように、基本幅ｄの４倍であるため、第２のモジュール部１０４は、４つの可動部１５０，１５０ａ〜１５０ｃを備えている。可動部１５０，１５０ａ〜１５０ｃは、それぞれ、第１の位置および第２の位置へ移動可能である。しかし、第２のモジュール部１０４は、どのような所望数の可動部１５０も備えることができることを理解すべきである。具体的には、第２のモジュール部１０４は、例えば、図２および図３に示すように可動部１５０を１つだけ備えることが可能である。次に、可動部の機能について詳細に説明する。
【０１３２】
図示されている第２のモジュール部（バスモジュール部）１０４の実施形態において、第１の可動部１５０、第２の可動部１５０ａおよび第４の可動部１５０ｃは（一方向の右から左に見た場合）第１の位置にある。この場合、第３のモジュール部１５０ｂのみは、第２の位置にある。図１３を見て分かるように、第２のモジュール部（バスモジュール部）１０４は、第１のバスコネクタ１１７’に電気的に接続されている第１の接点１５６と、第２のバスコネクタ１１７’に電気的に接続されている第２の接点１５８とを有している。絶縁点１５２は、可動部１５０が第２の位置にある場合（図１３の可動部１５０ｂ）、第１の接点１５６と第２の接点１５８との間に位置している。この場合、絶縁点１５２は、空気で満たされた領域である。
【０１３３】
可動部１５０，１５０ａ〜１５０ｃは、いずれの場合でも、可動部１５０が第１の位置にある場合（図１３の可動部１５０，１５０ａ，１５０ｃ）、第１の接点１５６と第２の接点１５８との間の電気的接続、または、第１のバスコネクタ１１７と第２のバスコネクタ１１７’との間の電気的接続が電気的ライン１５４によって形成されるように配置されている電気的ライン１５４を備えている。この場合、可動部１５０，１５０ａ〜１５０ｃの各々は、可動部１５０，１５０ａ〜１５０ｃの各々が第１の位置にある場合に、第１のバスコネクタ１１７と第２のバスコネクタ１１７’との間の電気的接続が電気的ライン１５４によって形成されるように配置されている電気的ラインを備えている。これは、可動部１５０ｂが第２の位置にあるため、すなわち、全ての可動部が第１の位置にあるわけではないため、図１３に示す状態のケースではない。そのため、可動部１５０，１５０ａ〜１５０ｃの各々は、その第２の位置において、第１のバスコネクタ１１７と第２のバスコネクタ１１７’との間に絶縁点１５２を形成することができる。図１３に示す状態においては、これは、可動部１５０ｂのみである。該供給電圧バスは、この絶縁点１５２によって遮断される。
【０１３４】
図１４ａを見て分かるように、可動部１５０，１５０ａ〜１５０ｃは、ガイド１６４上に案内されるスライド要素であり、そのスライド要素は、第１の位置と第２の位置との間でシフトすることができる。該スライド要素は、該電気的接続部がその上に配置される（境界面１０５ａまたはバックプレーンに関連する）下方領域と、手動操作のためにデザインされている（境界面１０５ａまたはバックプレーンに関連する）上方領域とを備えている。図１２を見て分かるように、該可動部またはスライド要素は、該上方領域が、境界面Ｇ、または、第２のモジュール部１０５の境界面１０５ａの上にあるか、または、これらの境界面を覆っている状態で配置され、その結果、外部から容易にアクセス可能になっている。
【０１３５】
図１４ａを見て分かるように、この実施形態における該スライド要素は、境界面１０５ａまたはバックプレーンに平行に（またはこれらの中で）、第１の位置と第２の位置との間で直線状にシフトすることが可能である。該可動部または該スライド要素は、他の適当などのような方法でも、第１の位置と第２の位置との間で移動可能にすることができることを理解すべきである。例えば、決められた回転の中心周りで、第１の位置と第２の位置との間で、角度的な方法でシフトするか、または回転させることを可能にすることができる。別の実施例において、該可動部は、第１の位置において、該絶縁点に挿入できるか、または、該絶縁点に挿入され、および第２の位置において、該制御装置から取り外すことができるか、または、該制御装置から取り外されるジャンパーとするとすることができる。この場合、ジャンパーは、電気的ラインを有する独立した、完全に取外し可能なコンポーネントを意味することが理解される。
【０１３６】
第１のモジュール部（電子モジュール部）１０２には、例えば、先行する図を参照して説明したように、この場合、特に第１のデザインおよび第２のデザインが設けられている。第１のモジュール部（電子モジュール部）１０２の第１のデザインは、この場合、（例えば、フェイルセーフ（ＦＳ）または標準的な（ＳＴ）用途のための）入力／出力モジュール部とすることができる。第２のデザインにおいて、第１のモジュール部（電子モジュール部）１０２は、モジュール供給、すなわち、内部供給電圧を給電するための、または、新たな電圧群を構成するための、周辺装置供給、すなわち、外部電圧源を給電するための電圧源モジュール部（または、給電モジュール部）とすることができる。
【０１３７】
第２のデザイン（電圧源モジュール部）においては、少なくとも１つの第１の接点１２０’（具体的には、前述したように、第２のグループの接点１２０’）または第１のモジュール部１０２のプリント回路基板１２１’が、それを絶縁点１５２に挿入できるように配置されている。接点１５６，１５８の一方は、第２のモジュール部（バスモジュール部）１０４の電気的嵌合接点１３０である。したがって、第１の結合構成において、第１のモジュール部（電子モジュール部または電圧源モジュール部）の第１の電気接点１２０’は、可動部１５０が第２の位置にある場合に、第１のモジュール部１０２と第２のモジュール部１０４との間の電気的接続のために、第２のモジュール部（バスモジュール部）の一方の接点１５６，１５８に接触する。このようにして、給電接続部１６０が形成される。給電接続部１６０は、第１のモジュール部（電圧源モジュール部または給電モジュール部）１０２への接続のために用いられる。そのため、第１のモジュール部（電子モジュール部）１０２は、その第２のデザイン（電圧源モジュール部）において、第１の電気接点１２０が給電接続部１６０とともに、第１の結合構成において、第１のモジュール部１０２と第２のモジュール部１０４との間に電気的接続部を形成するように配置されたその第１の電気接点１２０’を有している。このようにして、電圧が第１のモジュール部（電子モジュール部または電圧源モジュール部）１０２から第２のモジュール部（バスモジュール部）へ供給される。
【０１３８】
第２のモジュール部（バスモジュール部）１０４は、第１のバスコネクタ１１７と第２のバスコネクタ１１７’との間の電気的接続部に接続されている追加的な接続部１７０をさらに備えている。第１のモジュール部（電子モジュール部）１０２は、その第１のデザイン（入力／出力モジュール部）において、第１の電気接点１２０’が追加的な接続部１７０とともに、第１の結合構成において、第１のモジュール部（電子モジュール部または入力／出力モジュール部）と第２のモジュール部（バスモジュール部）１０４との間に電気的接続部を形成するように配置されたその第１の電気接点１２０’またはプリント回路基板１２１’を有している。
【０１３９】
図１３に矢印で示すように、この実施形態において、該供給電圧バス上の供給電圧は、第１のバスコネクタ１１７により、第２のバスコネクタ１１７’の方向に、すなわち、この場合、長手方向Ｌの左から右に接続されている。そのため、上述した接点は、この場合、右側の接点１５８である。その結果、接点は、第１のモジュール部１０２の第１の電気接点１２０’によって、接点１５８に対して形成される。第１のモジュール部１０２の第１の電気接点１２０’は、第２のモジュール部１０４の他方の接点１５６と絶縁されている。このようにして、新たな電圧を右側に供給することができる。
【０１４０】
上述した実施形態により、可動部１５０，１５０ａ〜１５０ｃが第１の位置にある場合、バスコネクタ１１７の一方に存在する電圧は、第１のバスコネクタ１１７と第２のバスコネクタ１１７’との間に接続され、および可動部１５０，１５０ａ〜１５０ｃが第２の位置にある場合は、第１のバスコネクタ１１７と第２のバスコネクタ１１７’との間に直流電気的遮断がもたらされる。
【０１４１】
そのため、この場合、第２のモジュール部（バスモジュール部）１０４の２つの異なるデザイン（１つは、接続されたバスを有するデザインで、１つは、遮断されたバスを有するデザイン）の代わりに、第２のモジュール部（バスモジュール部）１０４の単一のデザインのみが必要となる。その結果、第２のモジュール部（バスモジュール部）１０４の単一のデザインのみの製造のため、その製造コストは低くなる。加えて、第１のモジュール部（電子モジュール部）１０２のどのようなデザインも第２のモジュール部（バスモジュール部）１０４上に配置することができるため、使い勝手が向上する。
【図１】
2014529883.tif 000003
【図２】
2014529883.tif 000004
【図３】
2014529883.tif 000005
【図４】
2014529883.tif 000006
【図４ａ】
2014529883.tif 000007
【図５】
2014529883.tif 000008
【図５ａ】
2014529883.tif 000009
【図６】
2014529883.tif 000010
【図６ａ】
2014529883.tif 000011
【図７】
2014529883.tif 000012
【図７ａ】
2014529883.tif 000013
【図８】
2014529883.tif 000014
【図８ａ】
2014529883.tif 000015
【図８ｂ】
2014529883.tif 000016
【図９】
2014529883.tif 000017
【図１０】
2014529883.tif 000018
【図１１】
2014529883.tif 000019
【図１１ａ】
2014529883.tif 000020
【図１２】
2014529883.tif 000021
【図１３】
2014529883.tif 000022
【図１４】
2014529883.tif 000023
【図１４ａ】
2014529883.tif 000024
【国際調査報告】
2014529883.tif 000025
2014529883.tif 000026
2014529883.tif 000027
2014529883.tif 000028